(57)【要約】      （修正有）【課題】横長天板の後方中間領域を支持する脚体を、横方向に簡単に取付位置調節ができるとともに、意図しない脚体の動きを抑え、強度や耐久性の課題も克服することができるようにしたカウンターを提供する。【解決手段】左右方向を向く横長天板２を、左右方向を向く前方支持体５と、その両側部に設けられた後方を向く側方支持体７とにより支持したカウンター１において、前方支持体５の後面に左右方向を向く係合溝を設け、天板２における左右の側方支持体７、７間の中間部を支持する可動脚体９を、係合溝に沿って取付位置調節可能として前方支持体５に締着手段により締着する。【選択図】図１
2005137811.tif 000002
【特許請求の範囲】
【請求項１】
左右方向を向く横長天板を、左右方向を向く前方支持体と、その両側部に設けられた後方を向く側方支持体とにより支持したカウンターにおいて、
前記前方支持体の後面に左右方向を向く係合溝を設け、前記天板における左右の側方支持体間の中間部を支持する可動脚体を、前記係合溝に沿って取付位置調節可能として前記前方支持体に締着手段により締着したことを特徴とするカウンター。
【請求項２】
可動脚体が、係合溝に沿って取付位置調節可能として前方支持体の後面に締着されたブラケットと、該ブラケットより後方に延出する水平杆と、該水平杆の後端に固着され、下端が接床するとともに、上端で天板の中間部の後部下面を支持する脚杆とを備えている請求項１記載のカウンター。
【請求項３】
係合溝の開口部の上下縁に、互いに対向する突片を設けるとともに、該突片より前方の係合溝内に板ナットを左右方向に摺動可能として嵌合し、かつねじを、ブラケットを貫通させるとともに、前記係合溝の両突片間を通して、前記板ナットに設けたねじ孔に螺合して締め付けることにより、ブラケットの前面と板ナットとにより前記両突片を挾着して、可動脚体を前方支持体に締着した請求項２記載のカウンター。
【請求項４】
脚杆の上端に設けた天板受け座を、天板の下面にねじ止めした請求項２または３記載のカウンター。
【発明の詳細な説明】
【技術分野】
【０００１】
本発明は、金融機関等における店舗の受付、窓口等で使用されるカウンター構造に関する。
【背景技術】
【０００２】
顧客と接客要員の複数の組が、天板を挟んで向かい合って座る対面式のカウンターについては、各組用に個別のカウンターを組み立て、横並びに配列したもの（例えば特許文献１参照）や、天板を横長として、前部（顧客と対向する側）と側部を、覆いを兼ねたパネルを含む支持体で支持するとともに、前部支持体の後方（応対する人員側）の中間領域を支持するため、天板を前後の方向で支持する複数の脚板を、応対する人員に要する寸法ごとに、天板の下面と前部支持体の後面に固着して設置したもの（例えば特許文献２参照）がある。
【０００３】
しかし、個別のカウンターを配列する方式は、コストが嵩む。また、横長天板の中間領域を固着した脚板で支持する方式のものは、同時に応対する顧客の数を増減させたり、接客要員の立ち回りを減らすため、電子機器やキャビネットを接客要員に隣接して配置しようとする場合に、接客要員の座席を横方向に自由に移動させることができないため、柔軟な対応ができない。
【０００４】
そこで、横長天板の後部下面に横方向に溝を設け、中間領域を支持する棒状の脚体の頂部がこの溝を摺動できるようにして、脚体を横方向に移動可能としたものが提案されている（例えば特許文献３参照）。
【０００５】
しかし、この場合にも、脚体が意図せずに左右に動いたり、ゆれやねじれが生じて耐久性に支障があるなどの問題がある。
【特許文献１】特開平１１−３３２７０７号公報
【特許文献２】特開平１０−２３４５０４号公報
【特許文献３】実公平７−４２３６４号公報
【発明の開示】
【発明が解決しようとする課題】
【０００６】
本発明は、上記事情に鑑み、横長天板の後方中間領域を支持する脚体を、横方向に簡単に取付位置調節ができるとともに、意図しない脚体の動きを抑え、強度や耐久性の課題も克服することができるようにしたカウンターを提供することを目的としている。
【課題を解決するための手段】
【０００７】
本発明によると、上記課題は、次のようにして解決される。
(１)左右方向を向く横長天板を、左右方向を向く前方支持体と、その両側部に設けられた後方を向く側方支持体とにより支持したカウンターにおいて、前記前方支持体の後面に左右方向を向く係合溝を設け、前記天板における左右の側方支持体間の中間部を支持する可動脚体を、前記係合溝に沿って取付位置調節可能として前記前方支持体に締着する。
【０００８】
(２) 上記(１)項において、可動脚体が、係合溝に沿って取付位置調節可能として前方支持体の後面に締着されたブラケットと、該ブラケットより後方に延出する水平杆と、該水平杆の後端に固着され、下端が接床するとともに、上端で天板の中間部の後部下面を支持する脚杆とを備えるものとする。
【０００９】
(３) 上記(２)項において、係合溝の開口部の上下縁に、互いに対向する突片を設けるとともに、該突片より前方の係合溝内に板ナットを左右方向に摺動可能として嵌合し、かつねじを、ブラケットを貫通させるとともに、前記係合溝の両突片間を通して、前記板ナットに設けたねじ孔に螺合して締め付けることにより、ブラケットの前面と板ナットとにより前記両突片を挾着して、可動脚体を前方支持体に締着する。
【００１０】
(４) 上記(２)または(３)項において、脚杆の上端に設けた天板受け座を、天板の下面にねじ止めした請求項２または３記載のカウンター。
【発明の効果】
【００１１】
(１)請求項１記載の発明によると、締着手段を緩めて、可動脚体を横方向に移動させてその取付位置を簡単に調節することができるとともに、可動脚体を前方支持体に締着しているので、可動脚体の意図しない動きを抑えることができ、また強度や耐久性の課題も克服することができる。
【００１２】
(２)請求項２記載の発明によると、可動脚体における天板を直接支持する脚杆は、水平杆を介してブラケットに固着され、ブラケットは前方支持体に締着されているので、脚杆のがたつきや捩じれ等を確実に防止することができる。
【００１３】
(３)請求項３記載の発明によると、ねじを板ナットに締め付けることにより、ブラケットと板ナットとの間に突片を挟み込んで、ブラケットを前方支持体に強固に固定することができ、可動脚体の横方向の移動を確実に防止することができる。また、ねじを緩めることにより、可動脚体を横方向に簡単に移動して任意の位置再度取り付けることができる。
【００１４】
(４)請求項４記載の発明によると、脚杆は、前方支持体と天板との両方に固着されるので、脚体自身の支持が安定し、横ぶれを確実に防止でき、強度や耐久性がさらに向上する。
【発明を実施するための最良の形態】
【００１５】
図１〜図５は、本発明の一実施形態を示す。対面式のカウンター(１)は、天板(２)が１段となっているＡ部と、天板(２)が２段となっているＢ部とが直列に接続されている。天板(２)は、Ａ部とＢ部において、それぞれ２枚ずつ横方向につなぎ合わされている。
【００１６】
Ａ部とＢ部はそれぞれ、２名ずつの接客要員を予定し、椅子(３)を２脚ずつ横並びに配列してある。Ａ部におけるカウンター(１)の前方には、図示しない２脚の顧客用の椅子が配置されているが、Ｂ部におけるカウンター(１)の前方には、顧客用の椅子は配置されていない。また、Ａ部とＢ部はともに、顧客側と両側部に、それぞれ前方パネル(４)を含む前方支持体(５)と、側方パネル(６)を含む側方支持体(７)とを備えている。
【００１７】
前方支持体(５)と側方支持体(７)は、接床しながら互いに連結されることにより、Ａ部とＢ部それぞれにおいて、平面視コ字状となって天板(２)を支持している。Ａ部とＢ部においては、それぞれ２名の接客要員用スペースの間にキャビネット(８)が配置されているが、このキャビネット(８)は、左右方向に取付位置調節可能な可動脚体(９)(９)の間に挿入されている。
【００１８】
以下においては、説明の便宜上、Ａ部について詳細に説明し、Ｂ部については詳細な説明を省略する。
前方支持体(５)は、各天板(２)の前後方向の中央部において左右方向の全幅にわたって延びるメインフレーム(10)と、メインフレーム(10)の両端および中間接続部に結合されて、メインフレーム(10)を水平に支持する支持脚(11)と、メインフレーム(10)および支持脚(11)の前面に支着されて、天板(２)の下から床面まで垂下する前方パネル(４)とを備えている。
【００１９】
各側方支持体(７)は、前後方向に延びて天板(２)の側部を支持するもので、メインフレーム(10)の両端より後方に延出するエンドフレーム(12)と、このエンドフレーム(12)の後端に結合されて、エンドフレーム(12)を水平に支持する上記と同様の支持脚(11)と、エンドフレーム(12)およびその前後の端部を支持する支持脚(11)(11)の外側面に固着された側方パネル(６)とからなっている。
また、左右の支持脚(11)(11)の後面には、左右方向を向く上下２段の配線受け(13)(13)が設けられており、ここに、天板(２)上や可動脚体(９)(９)の間に配置される電気機器に接続された電気配線等（図示略）を収容しうるようになっている。
【００２０】
左右に並ぶ支持脚(11)の上部前面には、前方に延出する天板支持ブラケット(14)が固着されている。各天板支持ブラケット(14)には、２個のねじ挿通孔(15)が設けられている。これらのねじ挿通孔(15)を通して、ねじ（図示略）を天板(２)の下面に締着することにより、天板(２)における前方支持体(５)より前方に延出した部分を支持・固定することができ、天板(２)の支持を補強することができる。
【００２１】
可動脚体(９)は、上下方向を向き、下端が接床するとともに、上端で天板(２)の後部下面を支持する脚杆(16)と、脚杆(16)の上部前面から前方に延びる水平杆(17)と、この水平杆(17)の前端に固着されたブラケット(18)とを備えている。ブラケット(18)は、水平杆(17)の前端に固着された基部(18a)と、基部(18a)と直角をなして側方を向く取付部(18b)とからなっている。
【００２２】
メインフレーム(10)はほぼ角管状をなし、その後面には（この例では前面にも）、上下２段の係合溝(19)(19)が設けられている。各係合溝(19)の開口縁の上下部には、互いに上下に対向する突片(20)が設けられ、開口部を狭めている。各係合溝(19)には、横長の板ナット(21)が摺動自在に嵌合され、各板ナット(21)には、２個のねじ孔(22)(22)が穿設されている。
【００２３】
ブラケット(18)の取付部(18b)には、板ナット(21)(21)のねじ孔(22)(22)と対応するように、上下２個ずつの挿通孔(23)が設けられており、各挿通孔(23)を通して、ねじ(24)をねじ孔(22)に螺着することにより、ブラケット(18)の取付部(18b)と板ナット(21)(21)が、突片(20)を挟みつけ、ブラケット(18)は、所望の位置でメインフレーム(10)に固定される。したがって、本実施形態においては、ブラケット(18)に固着されている水平杆(17)を介して、脚杆(16)も前方支持体(５)に対して固定されることになる。
この例では、ブラケット(18)をメインフレーム(10)に締着する締着手段として、ねじ(24)と板ナット(21)とを用いているが、その他の締着手段を用いてもよい。
【００２４】
また、本実施態様においては、脚杆(16)の頂端には、この頂端の面積より広い天板受け座(25)が固着されている。天板受け座(25)の露出した四隅には挿通孔(26)が穿設されており、この挿通孔(26)を通して、タッピングねじ(27)が天板(２)の下面(2a)に螺着されることにより、脚杆(16)は、天板(２)に対しても固定される。したがって、脚杆(16)は、前方パネル(４)に対しても、天板(２)に対しても固定されているため、横方向に意図しない動きをすることはない。さらに、脚杆(16)が、面積の広い天板受け座(25)を介して天板(２)に固定されるため、天板(２)の支持がより安定したものになる。
【００２５】
本発明のカウンター構造は、例えば図２に示すように、天板(２)(２)の左右方向の中央にある可動脚体(9’)(9’)の間にキャビネット(８)を配置したい場合は、ブラケット(18)を板ナット(21)に固定しているねじ(24)と、天板(２)に螺着されているタッピングねじ(27)を緩め、可動脚体(9’)(9’)をそれぞれ、矢印(Ｐ)(Ｐ)で示すように、天板(２)(２)の左右の側縁に向けてキャビネット(８)が間に入る程度移動させる。この際には、ブラケット(18)、板ナット(21)および天板受け座(25)も、付随して移動させる。新しい位置で、上述のようにして、可動脚体(９)(９)を固定した後、キャビネット(８)を、矢印(Ｑ)で示すように、可動脚体(９)(９)の間に挿入する。
【００２６】
以上説明したように、本発明によれば、横長の天板の後部を左右の中間領域で支持する脚体を、左右方向の所望の位置に移動し、かつ固定することができ、天板下方の所望の位置に、必要な什器を配置したり、接客要員の座席の配置を適宜変更することができる。
【図面の簡単な説明】
【００２７】
【図１】本発明の一実施形態の背面斜視図である。
【図２】図１におけるＡ部の拡大平面図である。
【図３】図２のIII−III線拡大断面図である。
【図４】図２のブラケット取付部分を、天板を外して後上方より見た一部分解拡大斜視図である。
【図５】図２の可動脚体の取付部分を後下方より見た一部分解拡大斜視図である。
【符号の説明】
【００２８】
(１)  カウンター
(２)  天板
(2a)  下面
(３)  椅子
(４)  前方パネル
(５)  前方支持体
(６)  側方パネル
(７)  側方支持体
(８)  キャビネット
(９)  可動脚体
(10)  メインフレーム
(11)  支持脚
(12)  エンドフレーム
(13)  配線受け
(14)  天板支持ブラケット
(15)  ねじ挿通孔
(16)  脚杆
(17)  水平杆
(18)  ブラケット
(18a) 基部
(18b) 取付部
(19) 係合溝
(20) 突片
(21) 板ナット(締着手段)
(22) ねじ孔
(23) 挿通孔
(24) ねじ(締着手段)
(25) 天板受け座
(26) 挿通孔
(27) タッピングねじ
【図１】
2005137811.tif 000003
【図２】
2005137811.tif 000004
【図３】
2005137811.tif 000005
【図４】
2005137811.tif 000006
【図５】
2005137811.tif 000007